(57)【要約】  装置は、実質的に純粋な酸素の流れを人に供給するように配置され、実質的に純粋な酸素ガスの供給源と、供給源から周辺大気に実質的に純粋な酸素ガスを放出するための手段と、供給源から放出される実質的に純粋な酸素ガスを周辺大気の温度未満の温度まで冷却するための手段と、を備える。実質的に純粋な酸素ガスは、冷却手段によって冷却されるとき、対流によって周辺圧力下で、周辺大気を含む領域に下降することが可能になり、領域は、冷却された実質的に純粋な酸素ガスの下にあり、冷却された実質的に純粋な酸素ガスと対流によって連通状態にあり、冷却されて下降した実質的に純粋な酸素ガスが、その領域にいる人の皮膚と接触することができるようになっている。少なくとも１つのパラメータ（温度、酸素濃度、音又は振動など）が、領域において監視され、パラメータが所定の範囲にあるときのみ、放出手段の動作が可能である。【選択図】図１
2010531702.tif 000002
【特許請求の範囲】
【請求項１】
実質的に純粋な酸素の流れを人の皮膚に供給するように配置された装置であって、前記装置は、
（ａ）実質的に純粋な酸素ガスの供給源と、
（ｂ）前記供給源から周辺大気に前記実質的に純粋な酸素ガスを放出するための放出手段と、
（ｃ）前記周辺大気の温度未満の温度まで、前記供給源から放出された前記実質的に純粋な酸素ガスを冷却するための冷却手段と、を備え、前記実質的に純粋な酸素ガスは、前記冷却手段によって冷却されるときに、対流によって、周辺圧力下で前記周辺大気を含む領域の中に下降することができ、前記領域が、前記冷却された実質的に純粋な酸素ガスの下にあり、前記冷却された実質的に純粋な酸素ガスと対流によって連通状態にあり、冷却されて下降した実質的に純粋な酸素ガスが、前記領域にいる人の皮膚と接触することができるようになっており、
（ｄ）前記領域における少なくとも１つのパラメータを監視し、前記パラメータが所定の範囲にあるときに、前記放出手段の動作を可能にするための監視手段を備える装置。
【請求項２】
実質的に純粋な酸素ガスの前記供給源は、圧縮酸素又は液体酸素を含有する加圧容器、又は周辺空気から酸素ガスを抽出するための手段を備える、請求項１に記載の装置。
【請求項３】
ユーザが横たわっている姿勢にあるときに、前記ユーザの頭の上に位置するように適合される覆い又はフードを含む、請求項１又は２に記載の装置。
【請求項４】
前記放出手段からの前記実質的に純粋な酸素ガスの圧力及び流量を調節するための手段を含む、請求項１〜３のいずれか一項に記載の装置。
【請求項５】
前記冷却手段によって供給される冷却された実質的に純粋な酸素ガスの温度を制御するための手段を含む、請求項１〜４のいずれか一項に記載の装置。
【請求項６】
前記パラメータが供給される実質的に純粋な酸素ガスの酸素の割合であり、前記装置はさらに、正のフィードバックを含み、前記パラメータが前記ユーザの付近で前記所定の範囲未満であるときに、さらに実質的に純粋な酸素ガスが前記供給源から放出されるようになっている、請求項１〜５のいずれか一項に記載の装置。
【請求項７】
前記パラメータが前記領域の温度であり、前記パラメータが前記所定の範囲未満であるときに、前記装置が遮断を備える、請求項１〜６のいずれか一項に記載の装置。
【請求項８】
前記実質的に純粋な酸素ガスを用いて気分を変える化学物質又は治癒効果のある化学物質の放出のための手段を含む、請求項１〜７のいずれか一項に記載の装置。
【請求項９】
前記実質的に純粋な酸素ガスをイオン化するための手段を含む、請求項１〜８のいずれか一項に記載の装置。
【請求項１０】
所定の時間期間の間、前記実質的に純粋な酸素ガスを供給するため、及び／又は１つ又は複数の所定の時間間隔にわたって前記ガスを供給するために配置される１つ又は複数のタイマを含む、請求項１〜９のいずれか一項に記載の装置。
【請求項１１】
前記ユーザがいつ所定の移動量を超えるかを検出するための少なくとも１つの動きセンサ、及び／又は前記放出手段の下の領域にいる人を検出するための検出器を含む、請求項１〜１０のいずれか一項に記載の装置。
【請求項１２】
人の美容処置の方法であって、周辺大気の温度未満の温度に前記周辺大気に放出される実質的に純粋な酸素ガスを冷却し、前記冷却した実質的に純粋な酸素ガスを対流によって、周辺圧力下で前記周辺大気を含む領域の中に下降させ、前記下降した実質的に純粋な酸素ガスを前記領域にいる人の皮膚と接触させることを含む方法。
【請求項１３】
請求項１〜１１のいずれか一項による装置を利用する、請求項１２に記載の方法。
【発明の詳細な説明】
【技術分野】
【０００１】
本発明は、処置又は治療のための装置に関し、特に、酸素処置又は治療のための装置及び皮膚の美容又は治癒効果のある処置の方法に関する。
【背景技術】
【０００２】
酸素は、万能かつ強力な薬剤であり、２つの方法のうちの一方において、すなわち、圧力下での投与及び呼吸経路への直接投与（吸入）による治療に現在用いられている。
【０００３】
圧力下で酸素の投与は、「高圧酸素療法」として周知であり、創傷治癒過程などを強化するために現在用いられている。高圧処置の主な欠点は、専用の圧縮装置が必要であることと、処置を受ける人が、酸素室で毎日数時間（場合によっては夜通し）過ごさなければならないことである。
【０００４】
肺気腫などの疾患の処置を目的として医学的に吸入するために、又は、純粋な酸素を吸入することが身体機能を強化すると信じている愛好者にとって、たとえば酸素バーで休養として吸入するために、酸素を分配することもまた周知である。そのような投与は、酸素が呼吸器系に向けて投与されることになっているため、酸素を分配するために特殊なマスクなどを必要とする。
【発明の概要】
【発明が解決しようとする課題】
【０００５】
処置対象の人が、周辺圧力下である大気中にあるとき、実質的に純粋な酸素の投与を可能にする装置を提供することが好都合であろう。
【課題を解決するための手段】
【０００６】
したがって本発明は、実質的に純粋な酸素の流れを人に供給するように配置された装置を提供し、この装置は、
・実質的に純粋な酸素ガスの供給源と、
・前記供給源から周辺大気に前記実質的に純粋な酸素ガスを放出するための手段と、
・前記周辺大気の温度未満の温度まで、前記供給源から放出された前記実質的に純粋な酸素ガスを冷却するための手段と、を備え、前記実質的に純粋な酸素ガスは、前記冷却手段によって冷却されるときに、対流によって、周辺圧力下で前記周辺大気を含む領域の中に下降することができ、前記領域が、上記の冷却された実質的に純粋な酸素ガスの下にあり、前記冷却された実質的に純粋な酸素ガスと対流によって連通状態にあり、冷却されて下降した実質的に純粋な酸素ガスが、前記領域にいる人の皮膚と接触することができるようになっており、
・前記領域における少なくとも１つのパラメータを監視し、前記パラメータが所定の範囲にあるときに、放出のための手段の動作を可能にするための監視手段を備える。
【０００７】
本発明による装置は、純粋な酸素ガスの適切な供給源（圧縮酸素又は液体酸素を入れる加圧容器など）を含んでもよく、又、あるいは周辺空気から酸素ガスを抽出するための手段を含んでもよい。そのような抽出手段は、１つ又は複数の圧縮機、フィルタ及び／又は清浄器を備えてもよい。
【０００８】
酸素ガスは、所望であれば、オゾンがユーザに悪影響を及ぼしかねない量より少ない量で部分的にオゾン化されてもよい。
【０００９】
装置は、ユーザが横たわっている姿勢又は仰向けになった姿勢にあるときに、ユーザの頭の上に位置するように適合される覆い又はフードを含んでもよく、横たわっているときのユーザは、それらの側面にあるか、又は一番上に面している（仰向けになっている）。そのような覆い又はフードは通常、ユーザから離隔され（ユーザとは接触せず）、通常、ユーザの頭に面するように向けられる凹面を有する（それにより、ユーザの頭に向かって流れを向ける）。この場合には、純粋な酸素ガスの放出のための手段は通常、凹面の内部に対してガスを放出するように配置され、その結果、後者がユーザに向かって下方向に流れを向けることができる。
【００１０】
実質的に純粋な酸素ガス（すなわち医学的に純粋な酸素ガス）の供給のための装置は好ましくは、安全対策及び適切な使用予防措置を講じる。したがって、装置は好ましくは、実質的に純粋な酸素ガスの圧力及び流量を調整するための手段を含み、冷却手段によって提供される冷却された実質的に純粋な酸素ガスの温度を制御するための手段も含む（後者の手段はガスの冷却の程度を制御する）。
【００１１】
実質的に純粋な酸素ガスの放出のための手段は、（ユーザ又はヘルパが医学的に純粋な酸素ガスの放出をいつ可能にするかを選択してもよいように）手動で動作可能であるように配置されてもよく、又は（たとえば、領域へ通じる扉が開放されているときに）自動的に動作可能であってもよく、又は所定の時間でタイマによって起動されるように配置されてもよい。
【００１２】
実質的に純粋な酸素ガスが本発明による装置を用いて放出される周辺大気は通常、寝室又は診療設備などの室内にあり、あるいは周辺大気は、たとえば、密室、加圧された航空機客室などに実質的に閉じ込められてもよい。
【００１３】
装置は好ましくは、供給される実質的に純粋な酸素ガスの品質を監視するための手段を含む。監視するための手段は好ましくは、正のフィードバックを含み、ユーザの付近の周辺大気の酸素の割合が所定の閾値未満まで低下するときに、さらに実質的に純粋な酸素ガスが供給源から放出されるようになっている。そのようなフィードバックは、ワイヤレス制御手段を介して又は有線回線を介して動作されてもよい。ワイヤレス制御が用いられる場合、後者は符号化信号（無線周波数、光学信号又は超音波信号など）を適切な受信器に送信するように配置されてもよい。
【００１４】
あるいは、監視されるパラメータは、領域の温度であってもよく、本発明による装置は次に、パラメータが上述の所定の範囲の下端未満であると検出される場合には、放出手段を閉鎖する遮断を備えていてもよい。
【００１５】
さらなる別法において、監視されるパラメータは、たとえば音及び／又は振動であってもよく、そのため、いびきが検出される場合には放出手段が有効化され、そのようないびきが止む場合には放出手段が動作停止される。
【００１６】
上述のパラメータのいずれか又はすべてが、本発明による装置を用いて、個別に又は同時に監視されてもよい。
【００１７】
本発明による装置はさらに、気分を変える化学物質（リラックス効果又は沈静効果もしくは刺激効果又は元気付け効果を有しうるアロマセラピ物質など）の放出のための手段を含んでもよい。
【００１８】
装置はさらに、特に、そのような化学物質が吸入によって投与されることになっている場合には、抗ぜんそく調合薬などの治癒効果のある化学物質の放出のための手段を含んでもよい。なぜなら、医学的に純粋な酸素ガスの供給は、そのような吸入可能材料の摂取を強化するからである。
【００１９】
装置はさらに、（たとえば、負電荷を与えるために）ガスをイオン化するための手段を含んでもよい。
【００２０】
供給源から周辺大気に実質的に純粋な酸素ガスを放出するための手段は、ユーザの皮膚表面及び／又はユーザの顔付近の領域へのガスの流れの適用のために、一連の下方向に向けられたノズルなどの少なくとも１つのノズルを含んでもよい。
【００２１】
本発明による装置は、所定の期間の間及び／又は１つ又は複数の所定の時間間隔にわたって、実質的に純粋な酸素ガスを供給するために、配置される１つ又は複数のタイマを含んでもよい。そのようなタイマは、所定の睡眠期間にわたって実質的に純粋な酸素ガスを供給するように（たとえば、夜通し、予想される起床時間で流れが切れるように）制御されることが特に好ましい。一部の実施形態において、タイマの流れは、複数の離隔された時間間隔にわたって、実質的に純粋な酸素ガスの供給を可能にするように配置される。
【００２２】
装置はさらに、ユーザが所定の移動量を超えるときを検出するために、動きセンサを含んでもよく、これらは、ユーザが起床して動き始めるときに、酸素のさらなる流れを防止するために、酸素を放出するための手段に信号が送信されるように、較正されてもよい。
【００２３】
装置はさらに、放出手段の下の領域にいる人を検出するための検出器を含んでもよく、そのような検出器は、人がその領域で検出されるときのみ酸素の放出を可能にするために、信号を送信するように配置されてもよい。そのような検出器は、たとえば、人などの熱源を検出するように配置される熱センサであってもよく、人が領域にある椅子に座っているとき、又はその領域にあるベッドに横たわっているときに作動される圧力スイッチであってもよい。
【００２４】
本発明による装置は、冷却された実質的に純粋な酸素が下降することにより、上述の領域におけるユーザの皮膚と接触することを可能にするように配置される。そのような接触は、安静にしている（たとえば、椅子に座っているか、又はベッドもしくは他の表面に横たわっている、特にユーザが仰向けの姿勢にあるか、又は一方の側に横向きになっているときに）ユーザに供給されることが特に好ましい。
【００２５】
本発明による装置は、（たとえば、ユーザが眠っているときに）ユーザの皮膚の処置のために用いられてもよい。そのような処置は、汚染された大気及び／又は酸素の激減した空気（たとえば、航空機内、都市環境など）の加齢の影響に対抗するのを助けると信じられている。それにより、本発明による装置は、表面におけるしわ又は他の目に見える加齢の影響に対抗するのに用いられてもよい。
【００２６】
したがって、本発明はさらに、人の治療又は美容処置の方法を含み、この方法は、周辺大気の温度未満の温度に実質的に純粋な酸素ガスを冷却し、上記の冷却した実質的に純粋な酸素ガスを対流によって、周辺圧力下で上記の周辺大気を含む領域の中に下降させ、下降した実質的に純粋な酸素ガスを上記の領域にいる人の皮膚と接触させることを含む。
【００２７】
本発明による方法は好ましくは、本発明の前述の説明に記載されたように、本発明による装置を用いて実行される。
【００２８】
ここでは、本発明の好ましい特徴は、添付図面を参照して、実施例によってのみさらに記載される。
【図面の簡単な説明】
【００２９】
【図１】使用時における本発明による例示の装置を示す概略図である。
【図２】図１に示される装置の変形を示す概略図である。
【図３】本発明による装置において用いるのに適したフード又は覆いの詳細を示す。
【図４】本発明による例示の装置の特徴の概略図を示す概略的なフローチャートである。
【図５】図４に示される装置の変形の概略図を示すさらに概略的なフローチャートである。
【図６】図４に示される装置のさらなる変形の概略図を示すさらに概略的なフローチャートである。
【図７】図４に示される装置のさらなる変形の概略図を示すさらに概略的なフローチャートである。
【発明を実施するための形態】
【００３０】
図面の図１を最初に参照すると、ベッド上で酸素治療を利用したい人２を有するベッド１が示されている。
【００３１】
ベッドの上には、天井４に取り付けられるか、又は固定された冷却した酸素を放出するための容器３がある。容器は、下向きに向けられたフード６に管路５を介して接続される出口を有し、フード６は、容器３から人２の顔２ａに向かって下向きに向けられる流れ７に、冷やした純粋な酸素ガスを向ける。したがって、冷却された酸素ガスは、人２の顔２ａの皮膚と接触するように下降し、皮膚の加齢／しわに対抗するなどの皮膚に対する有用な効果のほか、呼吸の援助及び（たとえば）人のいびきの抑制という、さらに有用な利点ももたらす。
【００３２】
顔２ａに隣接して、その付近の温度又は酸素濃度などの状態を検知するためのセンサ８がある。センサ８は、データリンク９を介して酸素の放出を制御するための制御装置（図１には図示せず、以下に述べるように、図４にさらに詳細に図示される）に接続されてもよい。センサはさらに、人がベッドの上の最適な位置から移動した場合に、酸素の供給を停止するように配置される近接センサ又は動きセンサを含んでもよい。
【００３３】
図面の図２を参照すると、構成は類似である（類似の特徴部は類似の参照符号によって示される）。主な相違は、容器３が天井ではなく壁１０に取り付けられることである。
【００３４】
図３（やはり類似の参照符号は類似の特徴部を示す）は、ベッド１の上の人２の顔２ａの真上に位置しているフード６の実施例をさらに詳細に示す。
【００３５】
図４は、図１及び図２の構成において用いるための制御システムのさらなる詳細を示す。
【００３６】
図３に示される構成において、容器は、流量調節器１３を備えた酸素分配チューブ１２を有する加圧酸素タンク１１を備える。流量調節器１３を通過した後、酸素は、フード６から出る前に、冷却器ユニット１４を通って、管路５に入る。調節器１３及び冷却器ユニット１４はいずれも、制御ユニット１６によって制御され、制御ユニット１６は、センサ８からデータリンク９を介して信号を受信する。
【００３７】
図５は、図４の構成の変形例を示しているが、加圧酸素タンクの代わりに酸素圧縮機を備えている。図５のシステムにおいて、類似の部品は、やはり類似の参照符号によって示される。図５に示される変形例は、周辺空気の流れ２０のための入口ポート２１を備え、空気を圧縮機２２に供給し、圧縮機２２から圧縮空気が、酸素濃縮器２３に供給される。
【００３８】
図４の実施形態の場合と同様に、図５の実施形態における調節器１３及び冷却器ユニット１４はいずれも、制御ユニット１６によって制御され、制御ユニット１６は、センサ８からデータリンクを介して信号を受信する。制御ユニットはまた、圧縮機２２も制御する。
【００３９】
図６は、図５の構成の変形例を示しているが、加圧酸素タンクに供給するために酸素圧縮機を用いる点が異なる。図６のシステムにおいて、類似の部品は、やはり類似の参照符号によって示される。図６に示される変形例は、濃縮器２３と分配チューブ１２との間に酸素容器１１を含む。
【００４０】
図７は、図５の構成の変形例を示しているが、さらに薬剤供給を備えている。図７のシステムにおいて、類似の部品は、やはり類似の参照符号によって示される。図７に示される変形例は、濃縮器２３と流量調節器１３との間に薬剤を供給する容器３５を含む。これにより、酸素の流れ７を用いて薬剤の供給３６を確保する。
【図１】
2010531702.tif 000003
【図２】
2010531702.tif 000004
【図３】
2010531702.tif 000005
【図４】
2010531702.tif 000006
【図５】
2010531702.tif 000007
【図６】
2010531702.tif 000008
【図７】
2010531702.tif 000009
【国際調査報告】
2010531702.tif 000010
2010531702.tif 000011
2010531702.tif 000012